(57)【要約】【課題】製造が容易であり、通気性及び着脱性に優れた腰ベルトを提供すること。【解決手段】腰ベルト１００は、ベルト１０と、上記ベルト１０に設けられた通気性を有する袋２０と、上記袋２０に収納された可撓性の板状のスペーサー３０と、を具備し、上記スペーサー３０は、その上面及び下面に開口して当該開口を連通する複数の第１気体流路３７と、上記複数の第１気体流路３７のうち少なくとも一対を連通する第２気体流路３８と、を有する。【選択図】図１
2018135606.tif 000002
【特許請求の範囲】
【請求項１】
ベルトと、
上記ベルトに設けられた通気性を有する袋と、
上記袋に収納された可撓性の板状のスペーサーと、を具備し、
上記スペーサーは、
その上面及び下面に開口して当該開口を連通する複数の第１気体流路と、
上記複数の第１気体流路のうち少なくとも一対を連通する第２気体流路と、を有する腰ベルト。
【請求項２】
上記第１気体流路は上下方向に沿って延びており、
上記第２気体流路は左右方向に沿って延びており、
複数の第１気体流路及び複数の第２気体流路が相互に交差している請求項１に記載の腰ベルト。
【請求項３】
上記スペーサーは、
上下方向及び左右方向にそれぞれ間隔を空けて並び、前後方向に伸びる複数の柱体と、
上記柱体を相互に連結する可橈性の連結部材と、を有する請求項１または２に記載の腰ベルト。
【請求項４】
上記柱体は、前後方向の圧縮力により弾性変形する請求項３に記載の腰ベルト。
【請求項５】
上記柱体は、内部空間を有する四角柱であって、上下方向及び左右方向を向く側壁に当該内部空間と連通する開口を有する請求項３又は４に記載の腰ベルト。
【請求項６】
上記袋の内部空間は、左右方向の各端部における上下方向に沿った第１寸法が、左右方向の中央における上下方向に沿った第２寸法より短く、
上記スペーサーの左右方向の各端部における上下方向に沿った第３寸法は、上記第１寸法より長く、かつ上記第２寸法より短い請求項１から５のいずれかに記載の腰ベルト。
【請求項７】
上記袋は、前後方向を向く面にメッシュ状のシートを有する請求項１から６のいずれかに記載の腰ベルト。
【請求項８】
上記袋は、開閉可能な開口を有する請求項１から７のいずれかに記載の腰ベルト。
【請求項９】
上記袋に収容されており、上記スペーサーより円環形状に巻かれた上記ベルトの内面側に位置する合成樹脂シートを有する請求項１から８のいずれかに記載の腰ベルト。
【請求項１０】
上記ベルトは、円環形状に巻かれた状態の両端部を連結する留め具を有する請求項１から９のいずれかに記載の腰ベルト。
【発明の詳細な説明】
【技術分野】
【０００１】
本発明は、腰ベルトに関する。
【背景技術】
【０００２】
例えば特許文献１には、複数の円筒状の管等がベルトに取り付けられた空調服用腰ベルトが開示されている。この空調服用腰ベルトによれば、上半身に着衣された空調服において、上半身と空調服との空間に生じた気流が、管等の内部空間を通じて、下半身とズボンなどの着衣との間へ流れる。
【先行技術文献】
【特許文献】
【０００３】
【特許文献１】特開２０１６−０５６４６７号公報
【発明の概要】
【発明が解決しようとする課題】
【０００４】
しかしながら、特許文献１に記載された空調服用腰ベルトでは、円筒状の管等それぞれをベルトに取り付ける必要があり、製造が煩雑である。また、装着者が腰を曲げたりすると、管等が折れ曲がり、その結果、管等の内部空間である空気の流路が狭まり、通気性が悪化する。他方、空調服用腰ベルトを装着した作業者は、管等の剛性によって腰の動きが制限され、動きにくいという問題がある。また、管等の軸線方向に沿ってのみしか、すなわち装着状態における上下方向にのみしか空気が流れない、という問題がある。
【０００５】
本発明は、上記の事情に鑑みてなされたものであり、その目的は、製造が容易であり、通気性及び作業性に優れた腰ベルトを提供することである。
【課題を解決するための手段】
【０００６】
(1)  本発明に係る腰ベルトは、ベルトと、上記ベルトに設けられた通気性を有する袋と、上記袋に収納された可撓性の板状のスペーサーと、を具備し、上記スペーサーは、その上面及び下面に開口して当該開口を連通する複数の第１気体流路と、上記複数の第１気体流路のうち少なくとも一対を連通する第２気体流路と、を有する。
【０００７】
上記構成によれば、スペーサーがベルトに直接取り付けられることなく、袋に収納されればよいので、製造が容易である。また、スペーサーは可撓性を有するため、ユーザが、腰ベルトを装着した状態でも、腰を曲げたり捻ったりし易い。また、スペーサー内を流れる気体は、第２気体流路を介して、１つの第１気体流路から他の第１気体流路に流れるので、通気性に優れる。
【０００８】
(2)  好ましくは、上記第１気体流路は上下方向に沿って延びており、上記第２気体流路は左右方向に沿って延びており、複数の第１気体流路及び複数の第２気体流路が相互に交差している。
【０００９】
上記構成によれば、スペーサーを流通する気体は上下方向及び左右方向に流れるので、通気性が一層優れる。
【００１０】
(3)  好ましくは、上記スペーサーは、上下方向及び左右方向にそれぞれ間隔を空けて並び、前後方向に伸びる複数の柱体と、上記柱体を相互に連結する可橈性の連結部材と、を有する。
【００１１】
(4)  好ましくは、上記柱体は、前後方向の圧縮力により弾性変形する。
【００１２】
上記構成によれば、腰ベルトに前後方向の荷重がかかった状態でも、スペーサー内の気体の流路が確保される。また、荷重が無くなれば、柱体が弾性復帰する。
【００１３】
(5)  好ましくは、上記柱体は、内部空間を有する四角柱であって、上下方向及び左右方向を向く側壁に当該内部空間と連通する開口を有する。
【００１４】
上記構成によれば、腰ベルトが曲げられた状態であっても、スペーサー内の気体の流路が確保される。
【００１５】
(6)  好ましくは、上記袋の内部空間は、左右方向の各端部における上下方向に沿った第１寸法が、左右方向の中央における上下方向に沿った第２寸法より短く、上記スペーサーの左右方向の各端部における上下方向に沿った第３寸法は、上記第１寸法より長く、かつ上記第２寸法より短い。
【００１６】
上記構成によれば、スペーサーの左右方向の各端部が、袋内部の左右方向の中央と各端部との間に留まるため、袋内におけるスペーサーの左右方向の位置決めができる。
【００１７】
(7)  好ましくは、上記袋は、前後方向を向く面にメッシュ状のシートを有する。
【００１８】
上記構成によれば、上記スペーサーを収納可能な袋の通気量を確保できる。
【００１９】
(8)  好ましくは、上記袋は、開閉可能な開口を有する。
【００２０】
上記構成によれば、開口を通じて袋の内部空間からスペーサーが取り出し可能なので、スペーサーの交換作業が容易である。また、袋やベルトをスペーサーと分けてユーザが洗濯など行うことができる。
【００２１】
(9)  好ましくは、上記袋に収容されており、上記スペーサーより円環形状に巻かれた上記ベルトの内面側に位置する合成樹脂シートを有する。
【００２２】
上記構成によれば、スペーサー内を流通する気体が腰に当たることが防止できる。また腰ベルトの型崩れが防止できる。
【００２３】
(10)  好ましくは、上記ベルトは、円環形状に巻かれた状態の両端部を連結する留め具を有する。
【００２４】
上記構成によれば、腰ベルトを容易に着脱することができる。
【発明の効果】
【００２５】
本発明に係る腰ベルトは、製造が容易であり、且つ通気性及び着脱性に優れる。
【図面の簡単な説明】
【００２６】
【図１】図１は、実施形態に係る腰ベルト１００の斜視図である。
【図２】図２は、図１のＡ−Ａ線断面図である。
【図３】図３は、実施形態に係る腰ベルト１００の平面図である。
【図４】図４は、実施形態に係るスペーサー３０の斜視図である。
【図５】図５は、図４のＢ−Ｂ断面図である。
【図６】図６は、実施形態に係る腰ベルト１００の使用状態を示す模式図である。
【図７】図７は、変形例に係る腰ベルト２００の模式図である。
【図８】図８は、腰ベルト３００の分解図である。
【発明を実施するための形態】
【００２７】
以下に、適宜図面が参照されて、本発明の好ましい実施形態が説明される。なお、以下に説明される実施形態は、本発明の一例に過ぎず、本発明の要旨を変更しない範囲で、本発明の実施形態が適宜変更できることは言うまでもない。
【００２８】
［腰ベルト１００の概略構成］
図１から図３に示されるように、実施形態に係る腰ベルト１００は、ベルト１０と、袋２０と、スペーサー３０と、合成樹脂シート５０と、を備えている。
【００２９】
腰ベルト１００において、左右方向９、上下方向７、及び前後方向８は、以下のように規定されている。腰ベルトの長尺方向（図３における左右方向）が左右方向９であり、水平面内で左右方向９に直交する方向（図３における上下方向）が上下方向７である。前後方向８は、左右方向９と上下方向７のいずれにも直交する方向（図３における紙面と垂直な方向）である。
【００３０】
［ベルト１０］
図１及び図３に示されるように、ベルト１０は、左右方向９に長い枠１１を有する。枠１１は、袋２０の上下の縁であり、布などが袋２０の上下の縁にそれぞれ縫い付けられて構成されている。上下方向７に隔てられた一対の枠１１の間の上下方向７に沿った寸法は、左右方向９の各端部において短く、左右方向９の中央において長い。すなわち、袋２０は、左右方向９の中央において上下方向７に沿った寸法が長く、左右方向９の両端へ向かって当該寸法が徐々に短くなる形状である。一対の枠１１の左右方向９の両側部は、上下方向７に沿って延びており、上下の枠１１が連結している。
【００３１】
ベルト１０は、円環形状に巻かれた状態の両端部を連結するための留め具１２Ａ及び１２Ｂ（以下において、両者をまとめて留め具１２と表記する場合がある。）を有する。留め具１２には面ファスナーが用いられている。留め具１２Ａは枠１１の後側に縫い付けられている。留め具１２Ｂは枠１１の前側に縫い付けられている。腰ベルト１００が円環形状に巻かれた状態において、留め具１２Ａと留め具１２Ｂの接着面が互いに重なり結びつくことにより、腰ベルト１００の両端部は連結される。
【００３２】
［袋２０］
袋２０は、前後方向８の後側に位置するメッシュ状のシート２１Ａと、前側に位置するメッシュ状のシート２１Ｂ（以下において、両者をまとめてシート２１と表記する場合がある。）と、を有する。
【００３３】
図２に示されるように、シート２１Ａ及びシート２１Ｂは、上下端において枠１１によってそれぞれ連結されて袋形状をなしている。
【００３４】
シート２１は、メッシュの隙間を空気が通過することによって通気性を有する。シート２１が袋２０の前後方向８を向く面全体に用いられることによって、袋２０は前後方向８に通気性を有する。
【００３５】
図３に示されるように、袋２０の内部空間は、左右方向９の各端部における上下方向７に沿った第１寸法２２が、左右方向９の中央における上下方向７に沿った第２寸法２３より短い。
【００３６】
［スペーサー３０］
スペーサー３０は、板形状であり、袋２０に収納されている。スペーサー３０は、例えば、合成樹脂の成形品として一体に形成されている。図４に示されるように、スペーサー３０は、上下方向７及び左右方向９にそれぞれ間隔を空けて並び、前後方向８に伸びる複数の柱体３１を有する。柱体３１は、内部空間を有する四角柱であって、上下方向７及び左右方向９を向く側壁に、内部空間と連通する開口３２を有する。
【００３７】
図４及び図５に示されるように、柱体は上底部材３３、下底部材３４、４本の柱部材３５を有する。４本の柱部材３５は弾性を有し、前後方向８の圧縮力により変形し、弾性復帰する。これにより、柱体３１は、前後方向８の圧縮力により弾性変形する。
【００３８】
スペーサー３０は、柱体３１を相互に連結する可撓性の連結部材３６を有する。連結部材３６は、上下方向７及び左右方向９に隣り合って位置する各柱体３１の下底部材３４を相互に連結して、上下方向７又は左右方向９へ延びる平面視平板形状であって、側面視においては後側へ膨らむアーチ形状である。連結部材３６が前後方向８に撓むことにより、スペーサー３０は可撓性を有する。
【００３９】
スペーサー３０は、その上面４１及び下面４２に開口４３して開口４３を連通する複数の第１気体流路３７を有する。第１気体流路３７は上下方向７に沿って延びる。第１気体流路３７は、上下方向７にそれぞれ空間を空けて並ぶ柱体３１と、各柱体３１を連結する連結部材３６とによって区画される空間である。
【００４０】
スペーサー３０は、複数の第１気体流路３７を連通する複数の第２気体流路３８を有する。第２気体流路３８は左右方向９に沿って延びる。第２気体流路３８は、左右方向９にそれぞれ空間を空けて並ぶ柱体３１と、柱体３１を連結する連結部材３６とによって区画される空間である。
【００４１】
複数の第１気体流路３７及び複数の第２気体流路３８は、格子状に相互に交差している。スペーサー３０において、気体は、第１気体流路３７と第２気体流路３８とをランダムに通過しつつ流れる。
【００４２】
図３に示されるように、スペーサー３０の左右方向９の各端部における上下方向７に沿った第３寸法３９は、第１寸法２２より長く、かつ第２寸法２３より短い。
【００４３】
図１から図３に示されるように、合成樹脂シート５０は、袋２０に収容されており、スペーサー３０より円環形状に巻かれたベルト１０の内面側、すなわち前後方向８の前側に位置する。合成樹脂シート５０は、左右方向９の中央の上下端部が、Ｕ字状に折り曲げられた各枠１１により挟み込まれ、シート２１に共に縫い付けられることによって、袋２０に固定されている。
【００４４】
合成樹脂シート５０の左右方向９の寸法は、スペーサー３０の左右方向９の寸法より若干長い。合成樹脂シート５０は、左右方向９において、ベルト１０の左右方向９の中央と各端部との間まで、広がっている。合成樹脂シートは５０は、腰ベルト１００を装着した使用者が体感する程度には、気体を透過させない。
【００４５】
［腰ベルト１００の使用方法］
図６に示されるように、腰ベルト１００は、前側、つまり合成樹脂シート５０が使用者側となり、スペーサー３０が外側に位置するように、使用者の腰に巻かれる。使用者は、腰ベルト１００の外側にズボンなどを着る。つまり、使用者の腰とズボンなどの間に腰ベルト１００が介在する。また、使用者は、腰ベルト１００の外側に、例えば空調服などの上着を着る。つまり、使用者の腰と上着の間に腰ベルト１００が介在する。
【００４６】
仮に上着が空調服であれば、空調服が備えるファンが作動されることによって、空調服と使用者の上半身との間に大気の気流が生じる。この気流は、腰ベルト１００の袋２０を通過して、スペーサー３０の開口４３へ流入する。スペーサー３０においては、第１気体流路３７及び第２気体流路３８に沿って、図６に矢印及び点線で示されるように大気が流れる。これにより、空調服と使用者の上半身との間に生じた気流が、腰ベルト１００を介して、ズボンなどと使用者の下半身との間へ流れる。また、スペーサー３０の内側には合成樹脂シート５０が存在するので、スペーサー３０の第１気体流路３７及び第２気体流路３８を流れる大気が、使用者の腰に吹き付けることがない。
【００４７】
［実施形態の作用効果］
実施形態に係る腰ベルト１００によれば、スペーサー３０がベルト１０に直接取り付けられることなく、袋２０に収納されればよいので、腰ベルト１００の製造が容易である。また、スペーサー３０は可撓性を有するため、使用者が、腰ベルト１００を装着した状態でも、腰を曲げたり捻ったりし易い。また、スペーサー３０内を流れる気体は、第２気体流路３８を介して、１つの第１気体流路３７から他の第１気体流路３７に流れるので、気体が上下方向７及び左右方向９に流れることとなり、通気性が優れる。
【００４８】
また、柱体３１は弾性を有するので、腰ベルト１００に前後方向８の荷重がかかった状態でも、スペーサー３０内の気体の流路、すなわち第１気体流路３７及び第２気体流路３８が気体が流れる状態に保持される。また、荷重が無くなれば、柱体３１が弾性復帰する。連結部材３６は可撓性を有し、柱体３１は四角柱であって内部空間を有するので、腰ベルト１００が曲げられた状態であっても、スペーサー３０内の気体の流路が確保される。
【００４９】
袋２０の第１寸法２２及び第２寸法２３とスペーサー３０の第３寸法３９との関係から、スペーサー３０の左右方向９の各端部が、袋２０内部の左右方向９の中央と各端部との間に留まるため、袋２０内におけるスペーサー３０の左右方向９の位置決めができる。
【００５０】
袋２０は前後方向８を向く面にシート２１を有するので、スペーサー３０を収納可能な袋２０の通気量を確保できる。気体の流路より体側に合成樹脂シート５０を有するので、スペーサー３０内を流通する気体が腰に当たることが防止できる。また腰ベルト１００の型崩れが防止できる。また、合成樹脂シート５０は、保温効果があり、防寒機能を有するため、装着者の腰は、冬でも暖かい。
【００５１】
［変形例］
以上、本発明の実施の形態を詳細に説明してきたが、前述までの説明はあらゆる点において本発明の例示に過ぎない。本発明の範囲を逸脱することなく種々の改良や変形を行うことができることは言うまでもない。実施形態に係る腰ベルト１００の各構成要素に関して、実施の形態に応じて、適宜、構成要素の省略、置換、及び追加が行われてもよい。また、腰ベルト１００の各構成要素の形状及び大きさも、実施の形態に応じて、適宜、設定されてよい。例えば、以下の変更が可能である。
【００５２】
実施形態に係る腰ベルト１００は、枠１１を備えているが、枠１１に代えて、図７に示されるように、腰ベルト２００におけるベルト２１０の枠２１１は、左右方向９の中央から各端部にかけて、実施形態のように曲がりながら徐々に上部と下部が近付く、すなわち上下方向７に沿った寸法が徐々に小さくなるのではなく、スペーサー３０の左右方向９の各端部の縁に沿うような段差であってもよい。
【００５３】
また、実施形態に係る腰ベルト１００は、枠１１を有するベルト１０を備えているが、枠１１に代えて、平板を備えるベルトであってもよい。
【００５４】
また、実施形態に係るベルト１０の留め具１２は面ファスナーであるが、その他の通常ベルトに用いられているバックルであってもよい。
【００５５】
また、袋２０はベルト１０に直接取り付けられていなくてもよい。例えば袋２０とベルト１０との間に他の部品が介在し、袋２０がベルト１０と連結した部品に取り付けられることにより、間接的に袋２０とベルト１０とが連結されていてもよい。
【００５６】
袋２０の内部空間の寸法は、左右方向９の中央と各端部との間の上下方向７に沿った寸法が第１寸法２２より短くてもよい。このような構成であっても、スペーサー３０の左右方向９の位置決めができる。
【００５７】
また、袋２０は、前後方向８を向く面全体にシート２１を有するが、シート２１は袋２０の一部のみに設けられていてもよい。
【００５８】
また、シート２１のメッシュは、六角形の開口領域がハニカム状に配置されたものであってもよい。
【００５９】
また、図７に示されるように、袋２０に代えて、開閉可能な開口２２４を有する袋２２０を有していてもよい。開口２２４は、例えば、線ファスナー２２５により開閉される。この構成によれば、開口２２４を通じて袋２２０の内部空間からスペーサー３０が取り出し可能なので、スペーサー３０の交換作業が容易である。また、袋２２０やベルト２１０をスペーサー３０と分けてユーザが洗濯など行うことができる。
【００６０】
また、実施形態に係るスペーサー３０は、前後方向８から見た平面視が長方形であるが、四隅が丸められた長方形や楕円などの他の形状であってもよい。スペーサー３０の四隅が丸められたり、楕円形状であれば、シート２１の穴にスペーサー３０の角が引っ掛かることが防がれる。
【００６１】
実施形態に係るスペーサー３０は、一枚の平板形状であるが、例えば、複数の細長な形状のスペーサーとして、袋２０に、上下方向７又は左右方向９に並列に並べられてもよい。例えば、袋２０の内部空間に、上下方向７又は左右方向９に複数に分割された収容室が形成されることにより、各部屋にスペーサーを収容することができる。
【００６２】
また、スペーサー３０の厚みは特に限定されないが、５ｍｍ〜１０ｍｍが好ましい。この厚みのスペーサー３０が用いられた腰ベルト１００は、使用者が巻いた際に、違和感が少ない薄さであり、かつ気体の流路を確保できる。
【００６３】
また、実施形態に係るスペーサー３０の柱体３１は、上下方向７及び左右方向９にそれぞれ間隔を空けて並ぶが、上下方向７のみに間隔を空けて柱体３１が並んでいても、あるいは左右方向９のみ間隔を空けて柱体３１が並んでいてもよい。この場合、柱体３１の左右方向９あるいは上下方向７において連結部材を有さず、柱体３１と柱体３１が直接連結し、当該連結部材が曲がることにより、スペーサー３０は撓む。
【００６４】
また、実施形態に係るスペーサー３０の柱体３１は、四角柱であるが、各頂点はさらに丸みを帯びていてもよい。このような構造であれば、シート２１の穴に柱体３１の角が引っ掛かることが防がれる。また、柱体３１は四角柱でなくともよく、円柱、三角柱、その他の多角柱、円錐台、多角錐台でもよい。
【００６５】
また、柱体３１の開口３２は、Ｕ字又は逆Ｕ字状であってもよい。開口３２がロ字状である場合と比べ、柱体３１は、前側又は後側の一方の部材が肉厚となることにより、柱体３１の耐圧性が増す。一方、開口３２が真円や楕円状である場合と比べ、柱体３１は、後側又は前側の一方の部材の表面積が狭くなることにより、通気性に優れる。
【００６６】
また、柱体３１は、４本の柱部材３５を有するが、柱体３１の柱部材３５の本数は４本でなくともよい。また、柱部材３５は、直径約１．５ｍｍの円柱状であることが好ましい。
【００６７】
また、柱体３１の上底部材３３、下底部材３４は開口を有していてもよい。また、上底部材３３、下底部材３４は弾性を有していてもよい。
【００６８】
また、実施形態に係るスペーサー３０の連結部材３６は、平板が側面視においてアーチ形状となるものであるが、例えば、平板ではなく棒であってもよく、側面視において直線形状であってもよい。また、連結部材３６は開口を有するものであってもよい。連結部材３６は可撓性を有さず、柱体３１との結合部が屈曲可能であってもよい。
【００６９】
また、実施形態に係るスペーサー３０の第１気体流路３７は、上下方向７に延びるが、斜め方向に延びてもよい。第１気体流路３７は、柱体３１及び連結部材３６によってのみ区画されるものに限定されず、例えば、上下方向７に沿って延びる一対の壁によって区画されてもよい。
【００７０】
また、実施形態に係るスペーサー３０の第２気体流路３８は、左右方向９に延びるが、斜め方向に延びてもよい。第２気体流路３８は、柱体３１及び連結部材３６によってのみ区画されるものに限定されず、例えば、左右方向９に沿って延びる一対の壁によって区画されてもよい。また、第２気体流路３８は第１気体流路と直交しなくともよい。
【００７１】
また、実施形態に係るスペーサー３０の複数の第２気体流路３８は、複数の第１気体流路３７を連通するが、第２気体流路３８は、第１気体流路３７のうち少なくとも一対を連通するものであってもよい。
【００７２】
図８に示されるように、合成樹脂シート５０には、少なくとも１つ以上の開口５１が形成されてもよい。合成樹脂シート５０に開口が適宜形成されることによって、使用者の腰の周囲が蒸れることを防ぐことができる。
【００７３】
図８は、腰ベルト３００の分解図である。腰ベルト３００は、腰ベルト１００の合成樹脂シート５０に複数の開口５１を設けたものである。
【符号の説明】
【００７４】
１０、２１０・・・ベルト
２０、２２０・・・袋
２１Ａ・・・シート
２１Ｂ・・・シート
２２・・・第１寸法
２３・・・第２寸法
２４・・・開口
３０・・・スペーサー
３１・・・柱体
３２・・・開口
３６・・・連結部材
３７・・・第１気体流路
３８・・・第２気体流路
３９・・・第３寸法
４１・・・上面
４２・・・下面
４３・・・開口
５０・・・合成樹脂シート
１００、２００・・・腰ベルト
２２４・・・開口
【図１】
2018135606.tif 000003
【図２】
2018135606.tif 000004
【図３】
2018135606.tif 000005
【図４】
2018135606.tif 000006
【図５】
2018135606.tif 000007
【図６】
2018135606.tif 000008
【図７】
2018135606.tif 000009
【図８】
2018135606.tif 000010
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
ベルトと、
上記ベルトに設けられた通気性を有する袋と、
上記袋に収納された可撓性の板状のスペーサーと、を具備し、
上記スペーサーは、
その上面及び下面に開口して当該開口を連通する複数の第１気体流路と、
上記複数の第１気体流路のうち少なくとも一対を連通する第２気体流路と、を有し、
上記第１気体流路は上下方向に沿って延びており、
上記第２気体流路は左右方向に沿って延びており、
複数の第１気体流路及び複数の第２気体流路が相互に交差し、
上記各気体流路は、
上下方向及び左右方向にそれぞれ間隔を空けて並び、少なくとも上下方向又は左右方向の一端に位置し、前後方向に伸びる複数の柱体と、
上記柱体を相互に連結する可橈性の連結部材と、を有し、
上記柱体は、内部空間を有する四角柱であって、上下方向及び左右方向を向く側壁に当該内部空間と連通する開口を有し、
上記四角柱が有する少なくとも一つの上記開口は、Ｕ字又は逆Ｕ字状である腰ベルト。
【請求項２】
上記袋に収容されており、上記スペーサーより円環形状に巻かれた上記ベルトの内面側に位置する合成樹脂シートを有する請求項１に記載の腰ベルト。
【請求項３】
ベルトと、
上記ベルトに設けられた通気性を有する袋と、
上記袋に収納された可撓性の板状のスペーサーと、
上記袋に収容されており、上記スペーサーより円環形状に巻かれた上記ベルトの内面側に位置し上記スペーサーより空気の透過性が低い合成樹脂シートと、を具備し、
上記スペーサーは、
その上面及び下面に開口して当該開口を連通する複数の第１気体流路と、
上記複数の第１気体流路のうち少なくとも一対を連通する第２気体流路と、を有する腰ベルト。
【請求項４】
上記第１気体流路は上下方向に沿って延びており、
上記第２気体流路は左右方向に沿って延びており、
複数の第１気体流路及び複数の第２気体流路が相互に交差している請求項３に記載の腰ベルト。
【請求項５】
上記スペーサーは、
上下方向及び左右方向にそれぞれ間隔を空けて並び、前後方向に伸びる複数の柱体と、
上記柱体を相互に連結する可橈性の連結部材と、を有する請求項３または４に記載の腰ベルト。
【請求項６】
上記柱体は、内部空間を有する四角柱であって、上下方向及び左右方向を向く側壁に当該内部空間と連通する開口を有する請求項５に記載の腰ベルト。
【請求項７】
上記柱体は、前後方向の圧縮力により弾性変形する請求項１、２、５および６のいずれかに記載の腰ベルト。
【請求項８】
上記袋の内部空間は、左右方向の各端部における上下方向に沿った第１寸法が、左右方向の中央における上下方向に沿った第２寸法より短く、
上記スペーサーの左右方向の各端部における上下方向に沿った第３寸法は、上記第１寸法より長く、かつ上記第２寸法より短い請求項１から７のいずれかに記載の腰ベルト。
【請求項９】
上記袋は、前後方向を向く面にメッシュ状のシートを有する請求項１から８のいずれかに記載の腰ベルト。
【請求項１０】
上記袋は、開閉可能な開口を有する請求項１から９のいずれかに記載の腰ベルト。
【請求項１１】
上記ベルトは、円環形状に巻かれた状態の両端部を連結する留め具を有する請求項１から１０のいずれかに記載の腰ベルト。